(57)【要約】【課題】折り畳むことで片面または両面の房糸を選択して使用でき、かつ長さを変えることができるモップを提供すること。【解決手段】固定部材の両端に枢設部と嵌着部がそれぞれ形成され、前記嵌着部にハンドルが結合され、前記枢設部に折り畳み部材が枢着され、且つ前記固定部材と折り畳み部材上に房糸を敷き詰めた払拭体が取り付けられ、前記折り畳み部材は、固定部材との間が一直線の状態になるまで揺動し、払拭体を平らな状態にしてモップを長くすることができ、また前記折り畳み部材は固定部材と重なり合うまで揺動し、払拭体を折り畳んだ状態にしてモップを短縮することができ、使用上の利便性が向上される。【選択図】図１
2013236866.tif 000002
【特許請求の範囲】
【請求項１】
折り畳み式モップであって、
ハンドルと、
両端に枢設部及び前記ハンドルの連結に用いる嵌着部がそれぞれ形成された固定部材と、
前記枢設部に枢着された折り畳み部材と、
前記固定部材と折り畳み部材上に取り付けられるカバー体を備え、前記カバー体が外側表面に房糸層または布片層を備えた払拭体と、を含み、
前記折り畳み部材を前記固定部材との間が一直線の状態になるまで揺動させて前記払拭体を平らな状態にし、モップを増長して大きな面積の表面の清掃に用い、前記折り畳み部材を前記固定部材と重なり合うまで揺動させて前記払拭体を折り畳み状態にし、モップを短縮して複雑な表面の清掃に用いることができるよう構成したことを特徴とする、折り畳み式モップ。
【請求項２】
前記嵌着部が前記ハンドルの方向に開放された収容部を備え、前記収容部内壁に２つの相互に対称で外部に連通された端口が形成され、前記ハンドルの一端に前記収容部内に嵌置される連結部が設けられ、前記連結部に２つの相互に対称な弾性フック部が形成され、前記フック部が前記端口にそれぞれ弾性的に挿入されて外部に露出されることを特徴とする、請求項１に記載の折り畳み式モップ。
【請求項３】
前記折り畳み部材が両端に末端部と軸部をそれぞれ備え、前記折り畳み部材が前記軸部により前記枢設部に枢着され、前記軸部の両端に前記末端部の反対方向に開放された第１スロット部と、前記末端部の方向に開放された第２スロット部がそれぞれ形成され、
前記固定部材の内部に、前記枢設部と前記モップの前記ハンドル近くの位置の間を連通する通路が形成され、
前記モップ上の前記ハンドル近くの位置に前記通路に連通されたガイド口が形成され、
前記枢設部の方向に弾性的に付勢され、前記通路内を摺動する支持棒が設けられ、前記支持棒が前記枢設部を通過して前記第１スロット部または第２スロット部に弾性的に挿入され、前記折り畳み部材の揺動を制動し、
前記支持棒上に、前記ガイド口から外部に露出されたトリガ部材が設置され、人が手で操作して、前記支持棒を前記枢設部の反対方向に動かし、前記第１スロット部または第２スロット部から離脱させ、前記折り畳み部材の揺動が解放されることを特徴とする、請求項１に記載の折り畳み式モップ。
【請求項４】
前記モップの前記ハンドル近くの位置内部に形成され、且つ前記通路とガイド口の間を連通する収容部と、
前記支持棒上部に設けられ、且つ前記折り畳み部材の方向に向けられ、前記収容部内に位置する上斜面と、
前記トリガ部材底部に設けられ、且つ前記ハンドル方向に向けられた下斜面を含み、前記トリガ部材が前記下斜面を前記支持棒の前記上斜面上で摺動させることで、前記下斜面が下に移動されて前記上斜面を動かし、前記支持棒を前記枢設部の反対方向に移動させることを特徴とする、請求項３に記載の折り畳み式モップ。
【請求項５】
前記折り畳み部材の先端に位置決め孔が形成され、前記固定部材の先端に前記位置決め孔に挿入されるフック部が形成されたことを特徴とする、請求項１に記載の折り畳み式モップ。
【請求項６】
前記カバー体上において前記フック部に相対する位置に前記フック部を前記カバー体の外側に延出させるための穿通孔が形成され、前記カバー体が前記穿通孔を介して前記固定部材のフック部上に係着されて位置決めされることを特徴とする、請求項１に記載の折り畳み式モップ。
【請求項７】
前記カバー体が、第１布片と第２布片を貼り合わせて成り、前記第１布片と第２布片の間に収容空間が形成され、前記第１布片と第２布片の端部の間に、前記収容空間に連通され、且つ前記折り畳み部材と固定部材を出し入れするための袋口が形成されたことを特徴とする、請求項１に記載の折り畳み式モップ。
【請求項８】
前記第１布片と第２布片が、その周囲を同時にホットプレスして形成された複数のヒートシール点により一体として貼り合わせられ、前記収容空間のカバー体中段位置両側の前記ヒートシール点の間において折り畳み部材の移動に干渉するネック部が形成されたことを特徴とする、請求項７に記載の折り畳み式モップ。
【請求項９】
前記房糸層または前記布片層が前記カバー体底面に貼り合わせられることを特徴とする、請求項１に記載の折り畳み式モップ。
【請求項１０】
前記カバー体の周辺が、連続して凹凸の並んだ形態の輪郭を成し、前記房糸層の房糸が輪廓の凹凸形態に伴って不揃いの形態で分布されたことを特徴とする、請求項１に記載の折り畳み式モップ。
【請求項１１】
前記折り畳み部材が両側に末端部と軸部をそれぞれ備え、前記折り畳み部材が前記軸部により前記枢設部に枢着され、前記末端部が前記軸部の反対方向に延伸されて２つの挿入ストリップが形成され、前記カバー体が内部に収容空間を備え、前記収容空間の一端に前記カバー体の端部において前記折り畳み部材と固定部材を出し入れするための袋口が形成され、前記収容空間の他端が仕切られて前記挿入ストリップを挿入するための２つのストリップ挿入部が形成されたことを特徴とする、請求項１に記載の折り畳み式モップ。
【請求項１２】
前記カバー体上の前記挿入ストリップの間に相対する位置にホットプレスで複数のヒートシール点が形成され、前記ヒートシール点が前記ストリップ挿入部の間を隔てる仕切り部を構成し、且つ前記挿入ストリップの間の前記仕切り部に相対する位置に位置決め孔が形成され、前記固定部材の先端に前記仕切り部に沿って前記位置決め孔に挿入可能なフック部が設けられたことを特徴とする、請求項１１に記載の折り畳み式モップ。
【請求項１３】
前記折り畳み部材の前記枢設部から離れた一端に湾曲部が形成されたことを特徴とする、請求項１１に記載の折り畳み式モップ。
【発明の詳細な説明】
【技術分野】
【０００１】
本発明は折り畳み式モップに関し、特に、折り畳むことにより片面または両面の房糸を選択的して使用でき、かつ長さを変えることができるモップであって、モップを構成するハンドル、固定部材、折り畳み部材、払拭体が特徴的な、折り畳み式モップに関する。
【背景技術】
【０００２】
現在のモップは主に、埃を吸着する能力を備えた払拭体と、払拭体を広げて固定するために用いるホルダーから構成され、且つ払拭体は表面には房糸層または布片層を備えている。
使用前に、ホルダーの先端を払拭体に設けられた内部空間に挿入し、払拭体の後端部をホルダー中段部に設けられた逆さフック上に掛止すると、払拭体を開いてまっすぐにすることができ、使用者がホルダーの後端部を手に持って動かすと、払拭体表面の房糸または布片層に埃を吸着させることができる。
払拭体が汚れたら、払拭体を直接ホルダーから取り外し、新しい払拭体に交換すればよく、環境保護の要求を満たすことができる。
【０００３】
また、前述のモップの払拭体が埃を吸着する効果は、主に２種類のルートを通して達せられる。その一つは房糸層の繊維構造を利用して埃を吸着するルート、もう一つは房糸層が持つ正電荷を利用して負電荷を持つ埃を吸引するルートである。
【０００４】
現在市販されているモップには長いものと短いものがある。長いモップは大きな面積の表面の清掃に有利であるが、複雑な表面の清掃には不利である。反対に、短いモップは複雑な表面の清掃には有利であるが、大きな面積の表面の清掃には不利である。
この他に、前述の房糸または布片層はほとんどが払拭体の上表面と下表面に平均的に設けられており、ホルダーの四周が房糸または布片で囲まれ、各種死角内の埃の清掃に有利であるが、払拭体の上下表面に房糸または布片層を形成する方法は、モップに一定の厚みを生じ、狭い隙間に入り込ませて清掃することが困難である。
【０００５】
これに鑑みて、市販されているものにも払拭体の単一表面に房糸または布片層を設けたモップがある。
これはモップの厚みを効果的に小さくし、狭い隙間に入り込ませて清掃するときに有利であるが、両面に房糸または布片層を備えたモップが本来持つ各種死角の埃を清掃する際に有利である能力が失われる。故に、上述の問題は当前記分野の技術者が解決を図る問題点である。
【発明の概要】
【発明が解決しようとする課題】
【０００６】
本発明の目的は、上述の先行技術において、従来のモップが大きい面積の表面と複雑な表面を清掃する能力を兼ね備えることが困難である問題と、従来のモップが各種死角の埃の清掃と狭い隙間に入り込ませて清掃する能力を兼ね備えることが困難である問題を克服するために、折り畳むことにより片面または両面を選択して使用でき、且つ長さを変えることができるモップを提供することにある。
【課題を解決するための手段】
【０００７】
上述の目的を達するため、本願の第１発明は、折り畳み式モップであって、
ハンドルと、
両端に枢設部及び前記ハンドルの連結に用いる嵌着部がそれぞれ形成された固定部材と、
前記枢設部に枢着された折り畳み部材と、
前記固定部材と折り畳み部材上に取り付けられるカバー体を備え、前記カバー体が外側表面に房糸層または布片層を備えた払拭体と、
を含み、前記折り畳み部材を前記固定部材との間が一直線の状態になるまで揺動させて前記払拭体を平らな状態にし、モップを長くして大きな面積の表面の清掃に有利とすることができ、前記折り畳み部材を前記固定部材と重なり合うまで揺動させて前記払拭体を折り畳み状態にし、モップを短縮して複雑な表面の清掃に有利とすることができる、折り畳み式モップを提供する。
【０００８】
上述により、前記ハンドル、固定部材、折り畳み部材を組み立ててモップのホルダーを形成し、折り畳み部材を調整してモップを長くしたときは、前記房糸層または布片層が前記固定部材と折り畳み部材の片側の表面に位置し、房糸層または布片層を前記固定部材と折り畳み部材に伴い狭い隙間に入り込ませて清掃を有利に行うことができ、かつ払拭体を利用して払拭体を利用して大きな面積の表面を清掃することができる。折り畳み部材を調整してモップを短縮したときは、前記房糸層または布片層が前記モップの両側表面に位置し、モップの四周が房糸または多数の布片で囲まれるため、各種死角内の埃の清掃に有利とすることができ、かつ払拭体を利用して複雑な表面を清掃することができる。
【０００９】
これにより、本発明は前記固定部材と折り畳み部材を折り畳むことにより、房糸層または布片層をモップの片側または両側の表面に配置させることができ、かつモップの長さを変えられることで、大きな面積と複雑な表面の清掃に有利であると同時に、各種死角内の埃を清掃し、かつ狭い隙間に入り込ませて清掃することができ、従来のモップが大きな面積の表面と複雑な表面を清掃する能力を兼ね備えることが困難である問題を克服し、使用上の利便性を向上すると共に、各種死角の埃の清掃と狭い隙間に入り込ませて清掃する能力を兼ね備えることが困難である問題を克服し、より一層使用上の利便性を高めることができる。このほか、払拭体が汚れたら、前記ハンドル、固定部材、折り畳み部材をそのまま利用して、新しい払拭体に交換すればよく、環境保護の要求を満たすことができる。
【００１０】
本願の第２発明は、前記嵌着部がハンドルの方向に開放された収容部を備え、前記収容部内壁に２つの相互に対称で外部に連通された端口が形成され、前記ハンドルの一端に収容部内に嵌置される連結部が設けられ、前記連結部に２つの相互に対称な弾性フック部が形成され、前記フック部は前記端口にそれぞれ弾性的に挿入されて外部に露出され、これにより前記フック部を押すと連結部を収容部から離脱させ、ハンドルを交換することができる、前記第１発明の折り畳み式モップを提供する。
【００１１】
本願の第３発明は、
前記折り畳み部材が両端に末端部と軸部をそれぞれ備え、前記折り畳み部材が前記軸部により前記枢設部に枢着され、前記軸部の両端に前記末端部の反対方向に開放された第１スロット部と、前記末端部の方向に開放された第２スロット部がそれぞれ形成され、
前記固定部材の内部に、前記枢設部と前記モップの前記ハンドル近くの位置の間を連通する通路が形成され、
前記モップ上の前記ハンドル近くの位置に前記通路に連通されたガイド口が形成され、
前記枢設部の方向に弾性的に付勢され、前記通路内を摺動する支持棒が設けられ、前記支持棒が前記枢設部を通過して前記第１スロット部または第２スロット部に弾性的に挿入され、前記折り畳み部材の揺動を制動し、
前記支持棒上に、前記ガイド口から外部に露出されたトリガ部材が設置され、人が手で操作して、前記支持棒を前記枢設部の反対方向に動かし、前記第１スロット部または第２スロット部から離脱させ、前記折り畳み部材の揺動が解放されることを特徴とする、前記第１発明の折り畳み式モップを提供する。
【００１２】
本願の第４発明は、前記モップの前記ハンドル近くの位置内部に形成され、且つ前記通路とガイド口の間を連通する収容部と、
前記支持棒上部に設けられ、且つ前記折り畳み部材の方向に向けられ、前記収容部内に位置する上斜面と、
前記トリガ部材底部に設けられ、且つ前記ハンドル方向に向けられた下斜面を含み、前記トリガ部材が前記下斜面を前記支持棒の前記上斜面上で摺動させることで、前記下斜面が下に移動されて前記上斜面を動かし、前記支持棒を前記枢設部の反対方向に移動させることを特徴とする、前記第３発明の折り畳み式モップを提供する。
【００１３】
本願の第５発明は、前記折り畳み部材の先端に位置決め孔が形成され、前記固定部材の先端に前記位置決め孔に挿入されるフック部が形成されたことを特徴とする、前記第１発明の折り畳み式モップを提供する。
【００１４】
本願の第６発明は、前記カバー体上において前記フック部に相対する位置に前記フック部を前記カバー体の外側に延出させるための穿通孔が形成され、前記カバー体が前記穿通孔を介して前記固定部材のフック部上に係着されて位置決めされることを特徴とする、前記第１発明の折り畳み式モップを提供する。
【００１５】
本願の第７発明は、前記カバー体が、第１布片と第２布片を貼り合わせて成り、前記第１布片と第２布片の間に収容空間が形成され、前記第１布片と第２布片の端部の間に、収容空間に連通され、且つ前記折り畳み部材と固定部材を出し入れするための袋口が形成されたことを特徴とする、前記第１発明の折り畳み式モップを提供する。
【００１６】
本願の第８発明は、前記第１布片と第２布片が、その周囲を同時にホットプレスして形成された複数のヒートシール点により一体として貼り合わせられ、前記収容空間のカバー体中段位置両側の前記ヒートシール点の間において折り畳み部材の移動に干渉する径が縮小されたネック部が形成されたことを特徴とする、前記第７発明の折り畳み式モップを提供する。
【００１７】
本願の第９発明は、前記房糸層または布片層がカバー体底面に貼り合わせられることを特徴とする、前記第１発明の折り畳み式モップを提供する。
【００１８】
本願の第１０発明は、前記カバー体の周辺が、連続して凹凸の並んだ形態の輪郭を成し、前記房糸層の房糸が輪廓の凹凸形態に伴って不揃いの形態で分布されたことを特徴とする、前記第１発明の折り畳み式モップを提供する。
【００１９】
本願の第１１発明は、前記折り畳み部材が両側に前記末端部と前記軸部をそれぞれ備え、前記折り畳み部材が前記軸部により前記枢設部に枢着され、前記末端部が前記軸部の反対方向に延伸されて２つの挿入ストリップが形成され、前記カバー体が内部に前記収容空間を備え、前記収容空間の一端に前記カバー体の端部において前記折り畳み部材と固定部材を出し入れするための袋口が形成され、前記収容空間の他端が仕切られて前記挿入ストリップを挿入するための２つのストリップ挿入部が形成されたことを特徴とする、前記第１発明の折り畳み式モップを提供する。
【００２０】
本願の第１２発明は、前記カバー体上の前記挿入ストリップの間に相対する位置にホットプレスで複数のヒートシール点が形成され、前記ヒートシール点が前記ストリップ挿入部の間を隔てる仕切り部を構成し、且つ前記挿入ストリップの間の前記仕切り部に相対する位置に位置決め孔が形成され、前記固定部材の先端に前記仕切り部に沿って前記位置決め孔に挿入可能なフック部が設けられたことを特徴とする、前記第１１発明の折り畳み式モップを提供する。
【００２１】
本願の第１３発明は、前記折り畳み部材の前記枢設部から離れた一端に湾曲部を形成したことを特徴とする、前記第１発明の折り畳み式モップを提供する。
【図面の簡単な説明】
【００２２】
【図１】本発明の実施例１の立体図である。
【図２】図１のホルダーの立体図である。
【図３】図２の立体分解図である。
【図４】図２を別の角度から見た立体図である。
【図５】図１の払拭体の立体分解図である。
【図６】図１の側面図である。
【図７】図６の上面図である。
【図８】図７のＡ−Ａ線での断面図である。
【図９】図８の使用状態を示す断面図である。
【図１０】図８の部分拡大断面図である。
【図１１】図９の部分拡大断面図である。
【図１２】図８の別の使用状態を示す断面図である。
【図１３】図８のさらに別の使用状態を示す断面図である。
【図１４】図２の使用状態を示す立体図である。
【図１５】図１の使用状態を示す立体図である。
【図１６】図７の付加的実施形態の上面図である。
【図１７】図７の別の付加的実施形態の上面図である。
【図１８】図１０の付加的実施形態の断面図である。
【図１９】本発明の実施例２の立体図である。
【図２０】図１９の実施例の分解形態の上面図である。
【図２１】図２０の組み立てた形態の部分上面図である。
【発明を実施するための形態】
【００２３】
以下に図面を参照しながら発明を実施するための形態について説明する。
【実施例１】
【００２４】
図１に本発明の実施例１の立体図を示す。かつ図２から図８を併せて参照する。本発明の折り畳み式モップは、ハンドル１、固定部材２、折り畳み部材３、中央通路２０、ガイド口２５、支持棒４、トリガ部材５、払拭体８を含む。
【００２５】
そのうち、前記ハンドル１は中空の細長い円筒状の形態とすることができ、且つハンドル１の両端に連結部１１と吊り下げ孔１２がそれぞれ形成され、前記連結部１１は固定部材２の方向に延伸された２つの相互に対称な弾性フック部１１１が形成され、ハンドル１の吊り下げ孔１２により高いところにモップを掛けることができる。
【００２６】
前記固定部材２は扁平な細長い形状とすることができ、且つ固定部材２の両端に枢設部２１と、前記ハンドル１の連結部１１の結合に用いる嵌着部２２がそれぞれ形成される。前記嵌着部２２にはハンドル１の方向に開放した収容部２３が形成され、且つ収容部２３の内壁に２つの相互に対称で嵌着部２２の外壁を経由して外部に連通された端口２４が形成される。前記収容部２３は本実施例においてモップのハンドル１近くの位置の内部に形成することができる。
【００２７】
前記連結部１１は収容部２３の挿嵌口２３１を介して収容部２３内に嵌置され、前記フック部１１１が端口２４にそれぞれ弾性的に挿入されて外部に露出され、且つフック部１１１の外部に露出される表面に複数の指で押しやすくするための突起１１２を形成することができる。これにより、前記フック部１１１を押して端口２４からフック部１１１を離脱させ、収容部２３から連結部１１を離脱させると、便利にハンドル１を交換することができる。
【００２８】
前記折り畳み部材３は扁平な細長い形状とすることができ、且つ折り畳み部材３は両端に末端部３１と軸部３２がそれぞれ形成される。前記折り畳み部材３は軸部３２が固定部材２の枢設部２１に枢着される。実際には前記枢設部２１が２つの相互に対称な支持板２１１を備え、且つ支持板２１１上に枢設孔２１２が形成され、前記枢設孔２１２の間に軸ピン２１３が挿入される。前記軸部３２は前記支持板２１１の間に回動可能に配置され、且つ軸部３２両側の間に軸ピン２１３の挿入に用いる軸孔３２０が形成される。前記ハンドル１、固定部材２、折り畳み部材３を組み合わせてモップのホルダーが構成される。
【００２９】
前記折り畳み部材３の軸部３２は両端に末端部３１の反対方向に開放された第１スロット部３２１（図９参照）と、末端部３１の方向に開放された第２スロット部３２２がそれぞれ形成される。
【００３０】
これにより、前記折り畳み部材３を固定部材２との間が一直線の状態になるまで揺動させて前記モップを長くしたり、且つ固定部材２と重なり合うまで揺動させて前記モップを短くしたりすることができる（図１２参照）。
【００３１】
前記中央通路２０は固定部材２内部に形成され、枢設部２１とモップのハンドル１近くの位置の間に連通され、前記支持板２１１の間の軸部３２に相対する端部に位置する開口２０１が形成される。
【００３２】
前記第１スロット部３２１は前記折り畳み部材３と固定部材２間が直線状態を成すときに前記開口２０１に相対し、且つ第２スロット部３２２は前記折り畳み部材３と固定部材２が重ね合わされたときに前記開口２０１に相対する。
【００３３】
前記ガイド口２５はモップ上部のハンドル１近くの位置に形成され（図１０参照）、前記通路２０に連通される。実際には、前記ガイド口２５は固定部材２の嵌着部２２上面に形成することができ、且つ収容部２３が前記通路２０とガイド口２５の間に連通される。
【００３４】
前記支持棒４はストリップ状とすることができ、両端に接続部４１とプッシュ部４２がそれぞれ形成される。支持棒４は枢設部２１方向に弾性的に付勢されて通路２０内に摺動可能に設置され、支持棒４の接続部４１が枢設部２１箇所の開口２０１を通過して前記第１スロット部３２１または第２スロット部３２２に弾性的に挿入されて、折り畳み部材３の揺動が制動される。実際には、前記収容部２３の挿嵌口２３１とハンドル１の間にストッパ部材６を嵌置し、前記支持棒４のプッシュ部４２とハンドル１のストッパ部材６の間にバネ７を設置して、支持棒４を枢設部２１の方向に弾性的に付勢する。
【００３５】
前記トリガ部材５はボタンの形態とすることができ、且つトリガ部材５は支持棒４上に設置され、ガイド口２５から外部に露出されて、人が手で操作し、前記支持棒４の接続部４１を前記枢設部２１の反対方向に動かして前記第１スロット部３２１または第２スロット部３２２を離脱させ、前記折り畳み部材３の揺動を解放する。
【００３６】
具体的な実施例において、本発明はさらに上斜面４２１と下斜面５１を含む。前記上斜面４２１は支持棒４のプッシュ部４２上部に設置され、且つ折り畳み部材３の方向を向いており、前記収容部内に位置する。前記下斜面５１はトリガ部材５底部に設けられ、且つハンドル１の方向を向いており、且つトリガ部材５は下斜面５１を介して支持棒４の上斜面４２１上で摺動される。これにより、前記下斜面５１がトリガ部材５に伴い下に移動されると上斜面４２１が動かされ、支持棒４を枢設部２１の反対方向に移動させることができる。
【００３７】
前記払拭体８は前記固定部材２及び折り畳み部材３上に取り付けられるカバー体８１を備え、前記カバー体８１の端部に前記折り畳み部材３と固定部材２を出し入れするための袋口８２が形成され、且つカバー体８１外側表面に房糸層８３が設けられる。これにより、前記カバー体８１が袋口８２から前記固定部材２及び折り畳み部材３上に取り付けられる。 
【００３８】
本実施例において、前記カバー体８１は第１布片８１１と第２布片８１２を貼り合わせて成り（図５参照）、前記第１布片８１１と第２布片８１２の間に前記折り畳み部材３と固定部材２を収容できる収容空間８０が形成され、且つ袋口８２が前記第１布片８１１と第２布片８１２端部の間に形成されて収容空間８０に連通される。
【００３９】
前記カバー体８１の前記第１布片８１１と第２布片８１２は、その周囲を同時にホットプレスして形成された複数のヒートシール点８４により一体として貼り合わせられ、前記房糸層８３はカバー体８１の第２布片８１２底部と布片８１３の間に設けることができ、且つ前記第２布片８１２、房糸層８３と布片８１３を同時にホットプレスしてヒートシール線８５が形成され、房糸層８３がカバー体８１の第２布片８１２底面に貼り合わせられる。
【００４０】
上述の構造により、使用者は折り畳み部材３を固定部材２との間が直線状態（図８参照）になるまで揺動させて、払拭体８を平らな状態にし、モップを長くすることができ、且つ支持棒４がバネ７により枢設部２１の方向に動かされ、支持棒４の接続部４１が開口２０１を通過して前記第１スロット部３２１に弾性的に挿入されて、折り畳み部材３の揺動が制動される。このとき、前記房糸層８３が前記固定部材２と折り畳み部材３の片側の表面に位置し、かつ前記固定部材２と折り畳み部材３の下方に位置するため、モップの厚みを大幅に減少することができ、房糸層８３を前記固定部材２と折り畳み部材３と共に狭い隙間に入り込ませて清掃を行う際有利であると共に、払拭体８を利用して大きな面積の表面を清掃することもできる。
【００４１】
一般的な使用状況において、使用者は隨意にトリガ部材５を押すこともでき（図９及び図１１参照）、下斜面５１がトリガ部材５に伴って下に移動し、上斜面４２１を押して、上斜面４２１が下斜面５１に沿って枢設部２１の反対方向へ移動され、支持棒４の接続部４１が枢設部２１の反対方向に移動されて前記第１スロット部３２１から離脱し、折り畳み部材３の揺動を解放することができる。
【００４２】
続いて、使用者は折り畳み部材３を固定部材２と重ね合わされるまで（図１２及び図１４参照）揺動させて、払拭体８を折り畳んだ状態にしてモップを短くすることもでき、同時に、トリガ部材５を解放すると、バネ７が再度支持棒４を枢設部２１の方向に移動させ、支持棒４の接続部４１が開口２０１を通過して前記第２スロット部３２２に弾性的に挿入され（図１３参照）、折り畳み部材３の揺動が制動される。この間、前記上斜面４２１は支持棒４に伴い枢設部２１の方向に移動され、トリガ部材５が下斜面５１に伴い上斜面４２１に沿って上に移動され、元の位置に戻る（図１０参照）。このとき、前記房糸層８３はモップの両側表面に位置し（図１５参照）、モップの四周が房糸で囲まれるため、各種死角内の埃の清掃に有利とすることができ、かつ払拭体を利用して複雑な表面を清掃することができる。
【００４３】
これに基づき、本発明のモップはトリガ部材５を制御することで折り畳み部材３の揺動を制限したり、解放したりすることができ、且つ折り畳み部材３の揺動角度を調整することでモップの長さを制御し、大きな面積と複雑な表面の清掃に有利であると同時に、各種死角内の埃を清掃し、かつ狭い隙間に入り込ませて清掃することができ、従来のモップが大きな面積の表面と複雑な表面を清掃する能力を兼ね備えることが困難である問題を克服すると同時に、従来のモップが各種死角の埃の清掃と狭い隙間に入り込ませて清掃する能力を兼ね備えることが困難である問題を克服し、使用上の利便性を向上することができる。このほか、払拭体８が汚れたら、前記ハンドル１、固定部材２、折り畳み部材３をそのまま利用して、新しい払拭体８に交換すればよく、環境保護の要求を満たすことができる。
【００４４】
以下さらに本発明の具体的な実施方法を説明する。
【００４５】
実施例では、前記収容部２３底部の内壁に切欠口２３２が形成され、前記下斜面５１の下端部を切欠口２３２内まで下に移動可能として、トリガ部材５の下方向への移動距離を増加することができる。
【００４６】
実施例では、前記通路２０の底部内壁にガイド溝２０２が形成され、前記支持棒４の底部にガイド溝２０２内で摺動される規制フック部４３が形成され、前記ガイド溝２０２は規制フック部４３の活動範囲を制限し、支持棒４の通路２０内での摺動を拘束することができる。
【００４７】
実施例では、前記折り畳み部材３の末端部３１先端に位置決め孔３１１が形成され、前記固定部材２上部のハンドル１近くの位置にフック部２６形成され、且つフック部２６は前記折り畳み部材３と固定部材２が重ね合わされたとき位置決め孔３１１に挿入され、前記折り畳み部材３と固定部材２を位置決めすることができる。
【００４８】
このほか、前記房糸層８３はカバー体８１の上面に設置してもよく、房糸層８３の房糸を前記固定部材２と折り畳み部材３の周辺の外囲に向かって延伸することができる。或いは、前記房糸層８３はカバー体８１の上面と底面に設置してもよく、前記固定部材２と折り畳み部材３の四周が房糸で囲まれるようにすることもできる。
【００４９】
具体的な実施例では、前記収容空間８０のカバー体８１中段位置両側の前記ヒートシール点８４ａの間において径が縮小されたネック部８０１が形成され（図１６参照）、前記ヒートシール点８４ａ払拭体８の中央に向かって延伸された多辺形とすることができ、前記多辺形は本実施例において三角形としてもよく、前記折り畳み部材３と固定部材２を袋口８２から収容空間８０に挿入した後、前記ネック部８０１が折り畳み部材３の移動に干渉し、ネック部８０１により折り畳み部材３を収容空間８０内に拘束して、払拭体８が前記折り畳み部材３と固定部材２上から脱落するのを防止することができる。
【００５０】
或いは、前記カバー体８１の中段位置両側の前記ヒートシール点８４ｂ内側にも別のヒートシール点８４ｃを増設してもよく（図１７参照）、前記ヒートシール点８４ｃの間に前記ネック部８０１が形成され、前記ヒートシール点８４ｂが中段位置両側まで延長され、且つ前記ヒートシール点８４ｂ、８４ｃは相互に平行とすることができる。
【００５１】
別の具体的な実施例では、前記カバー体８１の前記第１布片８１１と第２布片８１２の周辺が、連続して凹凸の並んだ形態の輪郭を成し、前記連続して凹凸の並んだ形態の輪郭は本実施例において波形状の輪郭とすることができ、且つ房糸層８３の房糸が前記輪廓の凹凸形態に伴って不揃いの形態で分布され、房糸層８３の房糸をよりばらつかせて複雑な表面の清掃に有利にすることができる。
【００５２】
このほか、前記カバー体８１の外側表面に布片層８３ａ（図１８参照）を設置して上述の房糸層８３を代替してもよく、且つ布片層８３ａはカバー体８１の底面に設置することもでき、残りの部材の構成及び実施方式は上述の実施例と同じである。
【実施例２】
【００５３】
図１９に本発明の実施例２の立体図を示す。かつ図２０から図２１を併せて参照する。本発明の折り畳み式モップは、ハンドル１、固定部材２、折り畳み部材３、払拭体８を含む。
【００５４】
前記固定部材２は両端に枢設部２１と、ハンドル１の結合に用いる嵌着部２２がそれぞれ形成され、且つ折り畳み部材３が前記枢設部２１に枢着される。前記払拭体８は前記固定部材２及び折り畳み部材３上に取り付けるカバー体８１を備え、前記カバー体８１は外側表面に房糸層８３または布片層８３ａを備えている(図１０と図１１参照）。前記折り畳み部材３は前記固定部材２との間が一直線の状態になるまで揺動させて(図６と図７参照）、前記払拭体８を平らな状態にし、モップを増長して大きな面積の表面を清掃することができる。また前記折り畳み部材３は前記固定部材２と重なり合うまで揺動させて(図１２と図１３参照）、前記払拭体を折り畳み状態にし、モップを短縮して複雑な表面の清掃することもできる。
【００５５】
前記嵌着部２２はハンドル１の方向に開放された収容部２３を備え、前記収容部２３の内壁に２つの相互に対称で外部に連通された端口２４が形成され、前記ハンドル１の一端に前記収容部２３内に嵌置される連結部１１が設けられ、前記連結部１１に２つの相互に対称な弾性フック部１１１が形成され、前記フック部１１１が前記端口２４にそれぞれ弾性的に挿入されて外部に露出される。
【００５６】
前記折り畳み部材３は、両端に末端部３１と軸部３２をそれぞれ備え、前記軸部３２により前記固定部材２の枢設部２１に枢着され、且つ前記軸部３２の両端に前記末端部３１の反対方向に開放された第１スロット部３２１(図８参照）と、前記末端部３１の方向に開放された第２スロット部３２２がそれぞれ形成され、前記固定部材２の内部に、前記枢設部２１と前記モップの前記ハンドル１近くの位置の間を連通する通路２０が形成され、前記モップ上の前記ハンドル１近くの位置に前記通路２０に連通されたガイド口２５が形成される。
【００５７】
前記枢設部２１の方向に弾性的に付勢され、前記通路２０内を摺動する支持棒４が設けられ、前記支持棒４が前記枢設部２１を通過して前記第１スロット部３２１または第２スロット部３２２に弾性的に挿入され、前記折り畳み部材３の揺動を制動する。
【００５８】
前記支持棒４上に、前記ガイド口２５から外部に露出されたトリガ部材５が設置され、人が手で操作して、前記支持棒４を前記枢設部２１の反対方向に動かし、前記第１スロット部３２１または第２スロット部３２２から離脱させ、前記折り畳み部材３の揺動が解放される。
【００５９】
前記収容部２３がモップのハンドル１近くの位置内部に形成され、且つ前記通路２０とガイド口２５の間に連通される。上斜面４２１が前記支持棒４上部に設置され、且つ折り畳み部材３の方向を向いており、前記収容部内に位置する。下斜面５１がトリガ部材５底部に設けられ、且つハンドル１の方向を向いており、且つトリガ部材５が下斜面５１を介して支持棒４の上斜面４２１上で摺動され、前記下斜面５１が下に移動されると上斜面４２１が動かされ、支持棒４を枢設部２１の反対方向に移動させる。
【００６０】
前記カバー体８１は第１布片８１１と第２布片８１２を貼り合わせて形成でき、前記第１布片８１１と第２布片８１２の間に収容空間８０が形成され、前記第１布片８１１と第２布片８１２の端部の間に、収容空間８０に連通され、且つ前記折り畳み部材３と固定部材２を出し入れするための袋口８２が形成される。
【００６１】
前記第１布片８１１と第２布片８１２は、その周囲を同時にホットプレスして形成された複数のヒートシール点８４により一体として貼り合わせられ、前記房糸層８３または布片層８３ａがカバー体８１底面に貼り合わせられる。
【００６２】
前記折り畳み部材３の末端部３１が軸部３２の反対方向に延伸されて２つの相互に平行な挿入ストリップ３３が形成され、前記収容空間８０一端にカバー体８１の端部において前記袋口８２が形成され、且つ収容空間８０他端が仕切られて前記挿入ストリップ３３を挿入させるための２つのストリップ挿入部８０２が形成される。
【００６３】
前記カバー体８１上の前記挿入ストリップ３３の間に相対する位置にホットプレスで複数のヒートシール点８４ｄが形成され、前記ヒートシール点８４ｄが前記ストリップ挿入部８０２の間を隔てる仕切り部８６を構成し、且つ前記挿入ストリップ３３の間の前記仕切り部８６に相対する位置に位置決め孔３１１ａが形成され、前記固定部材２の先端に前記仕切り部８６に沿って前記位置決め孔３１１ａに挿入可能なフック部２６が設けられ、折り畳み部材３が位置決め孔３１１ａを介して前記固定部材２のフック部２６上に係着されて位置決めされる。
【００６４】
前記カバー体８１上において前記フック部２６に相対する位置に前記フック部２６を前記カバー体８１の外側に延出させるための穿通孔８７が形成され、前記カバー体８１が前記穿通孔８７を介して前記固定部材２のフック部２６上に係着されて位置決めされ、払拭体８が前記固定部材２と折り畳み部材３上から脱落するのを防止することができる。
【００６５】
前記折り畳み部材３と固定部材２を袋口８２から収容空間８０に挿入した後、前記仕切り部８６が前記挿入ストリップ３３の間に配置され、且つ前記挿入ストリップ３３が前記ストリップ挿入部８０２の内部にそれぞれ挿入され、前記挿入ストリップ３３とストリップ挿入部８０２内壁が密着された形態を成し、前記挿入ストリップ３３により仕切り部８６を挟持させることができる。残りの構成部材と実施方式は上述の実施例１と同じである。
【００６６】
実施例では、前記挿入ストリップ３３が板片の形態を成し、弾性的に湾曲可能であるため、折り畳み部材３で払拭体８を支持して物品表面を清掃するとき、挿入ストリップ３３の弾性的な湾曲特性により清掃対象の物品の表面に対して施力することができる。
【００６７】
実施例では、前記折り畳み部材３の固定部材２の枢設部２１から離れた一端に下方向に湾曲した湾曲部３４が形成され、前記折り畳み部材３の末端部３１と挿入ストリップ３３を袋口８２から収容空間８０に挿入するとき、湾曲部３４を利用して袋口８２を開かせ、前記末端部３１と挿入ストリップ３３を袋口８２に挿入しやすくすることができる。このほか、二つ折りにされた前記折り畳み部材３と固定部材２を開くとき、使用者が前記湾曲部３４に指をかけ、前記折り畳み部材３と固定部材２をより便利に開くことができる。
【００６８】
このように、前記挿入ストリップ３３、ストリップ挿入部８０２、仕切り部８６、穿通孔８７の設計によって、払拭体８が前記折り畳み部材３と固定部材２上から脱落するのを防止することができ、かつ板片形態の前記挿入ストリップ３３により折り畳み部材３の弾性を高め、折り畳み部材３の前端を狭い隙間の中に挿入して埃を清掃するのに有利とした。
【００６９】
先行技術と比較して、本発明には次のような利点がある。
１. 前記ハンドル１が円筒状の形態であり、使用者が握りやすく、かつ３６０度の旋回を行うとき有利である。
２. 前記折り畳み部材３と固定部材２を折り畳んでモップを短くすると、モップの四周が房糸または複数の布片に囲まれるため、各種複雑な表面の清掃に便利であり、操作上より応用がきき、収納もしやすい。
３. 前記折り畳み部材３と固定部材２を展開してモップを長くすると、房糸層８３または布片層８３ａがモップの片側表面に配置され、モップの厚みを減らすことができ、且つ房糸または複数の布片が分布する範囲の長さを増加できるため、有利に狭い隙間に入り込ませて清掃することができ、また大きな面積の表面の清掃に有利であり、使用上の利便性と清掃効率を高めることができる。
４. 前記フック部２６と位置決め孔３１１を相互に嵌合させることで、前記折り畳み部材３と固定部材２を効果的に位置決めし、前記折り畳み部材３と固定部材２間が緩んで動くことを防止できる。
５. 支持棒４を利用して前記第１スロット部３２１と第２スロット部３２２に嵌入及び離脱させることで、モップの使用時の形態を効果的に固定したり、隨意に前記折り畳み部材３と固定部材２を解放したりすることができ、使用中にモップの形態が変わることがないようにすることができる。
【符号の説明】
【００７０】
１・・・・・・ハンドル
１１・・・・・連結部
１１１・・・・フック部
１１２・・・・突起
１２・・・・・吊り下げ孔
２・・・・・・固定部材
２０・・・・・通路
２０１・・・・開口
２０２・・・・ガイド溝
２１・・・・・枢設部
２１１・・・・支持板
２１２・・・・枢設孔
２１３・・・・軸ピン
２２・・・・・嵌着部
２３・・・・・収容部
２３１・・・・挿嵌口
２３２・・・・切欠口
２４・・・・・端口
２５・・・・・ガイド口
２６・・・・・フック部
３・・・・・・折り畳み部材
３１・・・・・末端部
３１１、３１１ａ・・・・位置決め孔
３２・・・・・軸部
３２０・・・・軸孔
３２１・・・・第１スロット部
３２２・・・・第２スロット部
３３・・・・・挿入ストリップ
３４・・・・・湾曲部
４・・・・・・支持棒
４１・・・・・接続部
４２・・・・・プッシュ部
４２１・・・・上斜面
４３・・・・・規制フック部
５・・・・・・トリガ部材
５１・・・・・下斜面
６・・・・・・ストッパ部材
７・・・・・・バネ
８・・・・・・払拭体
８０・・・・・収容空間
８０１・・・・ネック部
８０２・・・・ストリップ挿入部
８１・・・・・カバー体
８１１・・・・第１布片
８１２・・・・第２布片
８１３・・・・布片
８２・・・・・袋口
８３・・・・・房糸層
８３a・・・・布片層
８４、８４ａ、８４ｂ、８４ｃ、８４ｄ・・・・ヒートシール点
８５・・・・・ヒートシール線
８６・・・・・仕切り部
８７・・・・・穿通孔
【図１】
2013236866.tif 000003
【図２】
2013236866.tif 000004
【図３】
2013236866.tif 000005
【図４】
2013236866.tif 000006
【図５】
2013236866.tif 000007
【図６】
2013236866.tif 000008
【図７】
2013236866.tif 000009
【図８】
2013236866.tif 000010
【図９】
2013236866.tif 000011
【図１０】
2013236866.tif 000012
【図１１】
2013236866.tif 000013
【図１２】
2013236866.tif 000014
【図１３】
2013236866.tif 000015
【図１４】
2013236866.tif 000016
【図１５】
2013236866.tif 000017
【図１６】
2013236866.tif 000018
【図１７】
2013236866.tif 000019
【図１８】
2013236866.tif 000020
【図１９】
2013236866.tif 000021
【図２０】
2013236866.tif 000022
【図２１】
2013236866.tif 000023